【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
信号の送信または受信を行う送受信部と、
前記送受信部に接続されて信号の変調または復調を行うモデム部と、
前記送受信部及びモデム部を制御する制御部と、
休止時間を設定するタイマと、を備えており、
前記送受信部で基地局から送信された信号の受信を行い、前記モデム部で前記受信された信号の復調を行っている場合に、前記基地局への位置登録処理の失敗が複数回になったとき、前記制御部は、前記送受信部を前記タイマで設定された時間にわたり休止させるよう制御することを特徴とする移動局装置。
【請求項２】
信号の送信または受信を行う送受信部と、
前記送受信部に接続されて信号の変調または復調を行うモデム部と、
前記送受信部及びモデム部を制御する制御部と、を備えており、
前記送受信部で基地局から送信された信号の受信を行い、前記モデム部で前記受信された信号の復調を行っている場合に、前記基地局への位置登録処理の失敗が複数回になったとき、前記制御部は、前記送受信部を所定時間にわたり休止させるよう制御することを特徴とする移動局装置。
【請求項３】
信号の送信または受信を行う送受信部と、
前記送受信部に接続されて信号の変調または復調を行うモデム部と、
前記送受信部及びモデム部を制御する制御部と、を備えており、
前記送受信部で基地局から送信された信号の受信を行い、前記モデム部で前記受信された信号の復調を行っている場合に、前記基地局への位置登録処理の失敗が複数回になったとき、前記制御部は、前記送受信部を停止させるよう制御することを特徴とする移動局装置。
【請求項４】
信号の送信または受信を行う送受信部と、
前記送受信部に接続されて信号の変調または復調を行うモデム部と、
前記送受信部及びモデム部を制御する制御部と、を備えており、
前記送受信部で基地局から送信された信号の受信を行い、前記モデム部で前記受信された信号の復調を行っている場合に、前記基地局への位置登録処理を複数回行っても、前記送受信部による信号の送信が前記基地局へ到達しないとき、前記制御部は、前記送受信部を所定時間にわたり休止させるよう制御することを特徴とする移動局装置。
【請求項５】
信号の送信または受信を行う送受信部と、
前記送受信部に接続されて信号の変調または復調を行うモデム部と、
前記送受信部及びモデム部を制御する制御部と、を備えており、
前記送受信部で基地局から送信された信号の受信を行い、前記モデム部で前記受信された信号の復調を行っている場合に、前記基地局への位置登録処理を複数回行っても、前記送受信部による信号の送信が前記基地局へ到達しないとき、前記制御部は、前記送受信部を停止させるよう制御することを特徴とする移動局装置。
【請求項６】
信号の送信または受信を行う送受信部と、
前記送受信部に接続されて信号の変調または復調を行うモデム部と、
前記送受信部及びモデム部を制御する制御部と、を備えており、
前記送受信部で基地局から送信された信号の受信を行い、前記モデム部で前記受信された信号の復調を行っている場合に、前記基地局への位置登録処理の失敗が複数回になったとき、前記制御部は、所定時間にわたり休止することを特徴とする移動局装置。
【請求項７】
信号の送信または受信を行う送受信部と、
前記送受信部に接続されて信号の変調または復調を行うモデム部と、
前記送受信部及びモデム部を制御する制御部と、を備えており、
前記送受信部で基地局から送信された信号の受信を行い、前記モデム部で前記受信された信号の復調を行っている場合に、前記基地局への位置登録処理を複数回行っても、前記送受信部による信号の送信が前記基地局へ到達しないとき、前記制御部は、所定時間にわたり休止することを特徴とする移動局装置。
【請求項８】
請求項１、２、３又は６に記載の移動局装置であって、
画像を表示する表示部を有し、
前記制御部は、前記基地局への位置登録処理の失敗が複数回になったとき、前記表示部に圏外であることを示す表示を行うよう制御することを特徴とする移動局装置。
【請求項９】
請求項１、２又は４に記載の移動局装置であって、
前記制御部は、前記送受信部を休止させた後、位置登録処理を再開する場合、前記位置登録処理を失敗した基地局とは異なる基地局へ位置登録処理を行うことを特徴とする移動局装置。
【請求項１０】
請求項３又は５に記載の移動局装置であって、
前記制御部は、前記送受信部を停止させた後、位置登録処理を再開する場合、前記位置登録処理を失敗した基地局とは異なる基地局へ位置登録処理を行うことを特徴とする移動局装置。
【請求項１１】
請求項６に記載の移動局装置であって、
前記制御部は、休止した後、位置登録処理を再開する場合、前記位置登録処理を失敗した基地局とは異なる基地局へ位置登録処理を行うことを特徴とする移動局装置。
【請求項１２】
請求項１、２又は４に記載の移動局装置であって、
前記制御部は、前記送受信部を休止させた後、受信レベル値がしきい値以上の場合に、位置登録処理を再開することを特徴とする移動局装置。
【請求項１３】
請求項３又は５に記載の移動局装置であって、
前記制御部は、前記送受信部を停止させた後、受信レベル値がしきい値以上の場合に、位置登録処理を再開することを特徴とする移動局装置。
【請求項１４】
請求項１２又は１３に記載の移動局装置であって、
前記しきい値は、位置登録処理できなかった際の受信レベルと、この受信レベルに基づくオフセット値を加算した値であることを特徴とする移動局装置。
【請求項１５】
基地局から送信された信号を受信し、
前記受信された信号を復調し、
前記復調している場合に、前記基地局への位置登録処理の失敗が複数回になったとき、移動局装置の送信動作及び受信動作を停止することを特徴とする位置登録制御方法。
【請求項１６】
基地局から送信された信号を受信し、
前記受信された信号を復調し、
前記復調している場合に、前記基地局への位置登録処理の失敗が複数回になったとき、移動局装置の送信動作及び受信動作を所定時間にわたり休止することを特徴とする位置登録制御方法。
【請求項１７】
基地局から送信された信号を受信し、
前記受信された信号を復調し、
前記復調している場合に、前記基地局への位置登録処理を複数回行っても、移動局装置からの送信された信号が前記基地局へ到達しないとき、前記移動局装置の送信動作及び受信動作を停止することを特徴とする位置登録制御方法。
【請求項１８】
基地局から送信された信号を受信し、
前記受信された信号を復調し、
前記復調している場合に、前記基地局への位置登録処理を複数回行っても、移動局装置からの送信された信号が前記基地局へ到達しないとき、前記移動局装置の送信動作及び受信動作を所定時間にわたり休止することを特徴とする位置登録制御方法。
【請求項１９】
請求項１５又は１６に記載の位置登録制御方法であって、
前記基地局への位置登録処理の失敗が複数回になったとき、圏外であることを示す表示を行うことを特徴とする位置登録制御方法。
【請求項２０】
請求項１６又は１８に記載の位置登録制御方法であって、
前記移動局装置の送信動作及び受信動作を所定時間にわたり休止した後、位置登録処理を再開する場合、前記位置登録処理を失敗した基地局とは異なる基地局へ位置登録処理を行うことを特徴とする位置登録制御方法。
【請求項２１】
請求項１５又は１７に記載の位置登録制御方法であって、
前記移動局装置の送信動作及び受信動作を停止した後、位置登録処理を再開する場合、前記位置登録処理を失敗した基地局とは異なる基地局へ位置登録処理を行うことを特徴とする位置登録制御方法。
【請求項２２】
請求項１６又は１８に記載の位置登録制御方法であって、
前記移動局装置の送信動作及び受信動作を所定時間にわたり休止した後、受信レベル値がしきい値以上の場合に、位置登録処理を再開することを特徴とする位置登録制御方法。
【請求項２３】
請求項１５又は１７に記載の位置登録制御方法であって、
前記移動局装置の送信動作及び受信動作を停止した後、受信レベル値がしきい値以上の場合に、位置登録処理を再開することを特徴とする位置登録制御方法。
【請求項２４】
請求項２２又は２３に記載の位置登録制御方法であって、
前記しきい値は、位置登録処理できなかった際の受信レベルと、この受信レベルに基づくオフセット値を加算した値であることを特徴とする位置登録制御方法。
【手続補正２】
【補正対象書類名】明細書
【補正対象項目名】００１１
【補正方法】変更
【補正の内容】
【００１１】
【課題を解決するための手段】
上記目的を達成するため、本発明は、信号の送信または受信を行う送受信部と、前記送受信部に接続されて信号の変調または復調を行うモデム部と、前記送受信部及びモデム部を制御する制御部と、休止時間を設定するタイマと、を備えており、前記送受信部で基地局から送信された信号の受信を行い、前記モデム部で前記受信された信号の復調を行っている場合に、前記基地局への位置登録処理の失敗が複数回になったとき、前記制御部は、前記送受信部を前記タイマで設定された時間にわたり休止させるよう制御することを特徴とする移動局装置である。
【手続補正３】
【補正対象書類名】明細書
【補正対象項目名】００１２
【補正方法】変更
【補正の内容】
【００１２】
また、本発明は、基地局から送信された信号を受信し、前記受信された信号を復調し、前記復調している場合に、前記基地局への位置登録処理の失敗が複数回になったとき、移動局装置の送信動作及び受信動作を停止することを特徴とする位置登録制御方法である。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】